(57)【要約】【課題】サーバと通報端末との間を無線回線により接続することにより、有線回線設備を省略したシステムを構成し、高い費用や手間を掛けることなく、監視情報等を収集し対応者に通報する。【解決手段】遠方に位置する監視対象２の状態は監視端末１で監視され、その監視情報データおよびイベントデータが、無線回線３を介して、通報データとしてデータベースサーバ４ｂにより受信処理される。前記のサーバ４ｂには、前記の受信処理された監視情報データ，イベントデータを記憶および少なくともイベントデータに対応した通報データを記憶し、各イベントデータの通報データには通報端末５に対して送信するかどうかが設定されている。前記のイベントデータにおいて通報データを送信するように設定されている場合に、その通報データを通報端末５に送信する。【選択図】  図１
2008228109.tif 000002
【特許請求の範囲】
【請求項１】
遠方に位置する監視対象の状態を監視端末で監視し、この監視情報データをデータベースサーバに送信し通報端末を介して通報する遠方監視情報の通報システムであって、
前記監視端末は、前記監視対象の状態を監視情報データとして収集でき、無線回線を介してイベントデータ，監視情報データを前記サーバに送信でき、そのサーバからの指令信号を受信することが可能な通信インタフェースを備え、
前記サーバは、指令信号の送信，イベントデータおよび監視情報データの受信処理が可能な通信インタフェースと、その受信処理されるイベントデータ，監視情報データを記憶および少なくともイベントデータに対応した通報データを記憶する記憶手段と、を備え、
前記通報端末は、前記サーバから無線回線を介して送信される通報データを受信処理することが可能な通信インタフェースと、その受信処理した通報データに基づいて出力する出力手段と、を備えたことを特徴とする遠方監視情報の通報システム。
【請求項２】
前記通報端末は、あらかじめ一定期間出力する設定、通報端末を操作する対応者によって停止操作するまでの間出力し続ける設定のうち、少なくとも何れか一方が設定されていることを特徴とする請求項１記載の遠方監視情報の通報システム。
【請求項３】
前記記憶手段には、あらかじめ想定される監視情報がイベントデータ毎に分類され、
前記のイベントデータ毎に、前記通報データを送信するかどうかを決定する送信決定データが記憶されていることを特徴とする請求項１または２記載の遠方監視情報の通報システム。
【請求項４】
前記の送信するように設定されたイベントデータの通報データとして、前記出力手段の出力を制御する出力制御データ，前記監視情報を示すテキストデータのうち、少なくとも何れか一つのデータが記憶されていることを特徴とする請求項３記載の遠方監視情報の通報システム。
【請求項５】
前記通報端末は、前記サーバから送信された通報データに含まれる出力制御データによりオン／オフ制御され、音，光，振動のうち何れかを発生することが可能な注意喚起手段を備えたことを特徴とする請求項４記載の遠方監視情報の通報システム。
【請求項６】
前記通報端末は、前記通報データに含まれるテキストデータにおいて、前記通報端末に備えられた変換器を介して文字，音声のうち何れかの形態に変換されたものを出力することが可能な言語出力手段を備えたことを特徴とする請求項４または５記載の遠方監視情報の通報システム。
【請求項７】
前記記憶手段には、前記の送信するように設定されたイベントデータの通報データとして、一定期間出力する設定データ，通報端末を操作する対応者によって停止操作するまでの間出力し続ける設定データのうち、少なくとも何れか一つのデータが記憶されていることを特徴とする請求項１〜６の何れかに記載の遠方監視情報の通報システム。
【請求項８】
遠方に位置する監視対象の状態を監視端末で監視し、前記の監視情報データを通報データとしてデータベースサーバにより受信処理し、前記のサーバから通報端末に対して通報データを送信する遠方監視情報の通信方法であって、
前記監視対象の状態を監視情報データとして収集し、無線回線を介して前記サーバに対する監視情報データおよびイベントデータの送信および前記サーバからの指令信号の受信を行う監視端末と、
無線回線を介して前記監視端末，通報端末に対する指令信号の送信および前記監視情報データ，イベントデータの受信処理を行い、その受信処理された監視情報データ，イベントデータを記憶および少なくともイベントデータに対応した通報データを記憶し、各イベントデータの通報データには通報端末に対して送信するかどうかが設定されているサーバと、を備えたシステムを用いることを特徴とする遠方監視情報の通信方法。
【請求項９】
前記データベースサーバが、前記監視端末から送信されたイベントデータの有無を常時監視するステップと、
前記の常時監視により確認されたイベントデータの種類を判別し、その判別結果を記憶するステップと、
前記の確認されたイベントデータにおいて通報端末に対する通報データの送信設定の有無を判定するステップと、
前記のイベントデータにおいて通報データを送信するように設定されている場合に、その通報データを通報端末に送信するステップと、を有することを特徴とする請求項８記載の遠方監視情報の通信方法。
【請求項１０】
前記の常時監視により確認されたイベントデータの種類を判別した後、前記の監視端末に対して指令信号を送信し、前記の監視対象から監視情報データを受信処理し記憶するステップを有することを特徴とする請求項９記載の遠方監視情報の通信方法。
【請求項１１】
前記通報端末は、前記サーバから無線回線を介して送信される通報データを受信処理することが可能な通信インタフェースと、その受信処理した通報データに基づいて出力する出力手段と、を備え、
あらかじめ一定期間出力する設定、通報端末を操作する対応者によって停止操作するまでの間出力し続ける設定のうち、少なくとも何れか一方が設定されていることを特徴とする請求項８〜１０の何れかに記載の遠方監視情報の通信方法。
【請求項１２】
前記通報端末に送信するステップは、前記の出力手段の出力を制御する出力制御データ，前記監視情報を示すテキストデータのうち、少なくとも何れか一つのデータを送信することを特徴とする請求項１１記載の遠方監視情報の通信方法。
【請求項１３】
前記通報端末は、前記通報データに含まれる出力制御データによりオン／オフ制御され、音，光，振動のうち何れかを発生することが可能な注意喚起手段を備えたことを特徴とする請求項１２記載の遠方監視情報の通信方法。
【請求項１４】
前記通報端末は、前記通報データに含まれるテキストデータを文字，音声のうち何れかの形態に変換する変換器と、その変換された形態を出力することが可能な言語出力手段と、を備えたことを特徴とする請求項１２または１３記載の遠方監視情報の通信方法。
【請求項１５】
前記通報端末に送信するステップは、一定期間出力する設定データ，通報端末を操作する対応者によって停止操作するまでの間出力し続ける設定データのうち、少なくとも何れか一つを含む通報データを送信することを特徴とする請求項８〜１４の何れかに記載の遠方監視情報の通信方法。
【発明の詳細な説明】
【技術分野】
【０００１】
本発明は、通報システムおよび通信方法に関するものであって、例えば遠方に位置する電気設備の状態を監視端末（遠方監視システムの監視端末）で監視し、この監視情報に関して通信回線を介し監視用コンピュータ等の上位装置（サーバ等）や対応者（システムの対応者）等に送信する遠方監視情報の通報システムおよび通信方法に関する。
【背景技術】
【０００２】
工場，上下水施設等における各種電気設備（受電設備、配電設備、電動機，ポンプ等）の状況（情報）を監視する目的で、通信回線を介して監視（遠方監視）し通報するシステムが適用されている。例えば、専用のデータベースサーバ（以下、サーバと称する）を備えた監視用コンピュータ等の上位端末と監視端末との間を無線により接続した構成のシステムが知られている（例えば、特許文献１，２）。
【０００３】
図４は、一般的な工場，上下水施設等における監視対象（電気設備）を遠方監視し、その監視情報を通報するシステムの一例を示すものである。図４において、符号１は監視端末（ワイヤレステレメトリング装置等）を示すものであり、監視対象２の状態を示す情報（例えば、機器情報，警報出力，パルスカウント値，画像、音声等のアナログ情報やデジタル情報；以下、監視情報と称する）をプログラマブルコントローラ（ＰＬＣ）１ａ，撮像手段１ｂ，センサ１ｃ等の検出手段により検出しデータとして収集するものである。このように収集された監視情報データは、無線回線（例えば、ＣＤＭＡ，Ｄｏｐａ（ＮＴＴドコモの登録商標）等の第３世代携帯電話回線等）３を介して、上位端末である監視用コンピュータ４のサーバ４ａに送信される。この各種データ送信は、例えば、監視端末１により定期的あるいは所望のイベント内容に応じて実行されたり、サーバ４ａから監視端末１に対する指令信号（要求信号）の出力に応じて実行（回答信号の送信）されたりする。
【０００４】
前記の監視対象２の状態が変化し何らかの対応が必要になった場合（例えば、警報出力等の各種監視情報が収集された場合）には、単に監視情報データ等を監視用コンピュータ４のモニタに表示して通報するだけでなく、例えばサーバ４ａの隣接位置（例えば、専用サーバ４ａと不可分の位置）に設けられる通報端末（例えば、音声や光を発生する装置）５を介して広範囲（例えば、監視用コンピュータ４のモニタを視認できない位置）に通報（出力）する手法が採られている。
【０００５】
このような通報システムにおいて、特に比較的大規模のシステムの場合（例えば、監視端末数が多い場合）、前記の監視用コンピュータ４，専用のサーバ４ａ，通報端末５を監視室４０に設置し、該システムに係る対応者（例えば、監視対象の操作，修理等を行う対応者）を前記監視室４０に常駐（例えば、交代で駐在）させ、その対応者に監視情報等を通報する手法が採られていた。
【０００６】
しかしながら、前記のような手法のシステムでは、例えば監視室４０（少なくとも、通報端末５の出力を対応者が認識できる位置）に専用のサーバ４ａを設置する必要があり、システムに係る費用（設備費，維持費等）や手間（専用サーバの構築に係る手間等）が多大であった。
【０００７】
近年、特に比較的小規模の場合（例えば、監視端末数が少ない場合）には、例えば図５に示すようにＡＳＰ（アプリケーション・サービス・プロバイダ）等による第３者のサーバ４ｂの一部が適用（すなわち、レンタルサーバを適用）され始めている。すなわち、監視用コンピュータ４とサーバ４ｂとの間を有線回線（公衆回線，専用回線等）６を介して接続することにより、専用のサーバ４ａに係る費用や手間を省略していた。
【０００８】
しかしながら、前記のようにレンタルサーバであっても、そのレンタルサーバと監視用コンピュータ４との間において有線回線設備を構築する必要があるため、システムに係る費用や手間が少なからず掛かっていた。また、レンタルサーバに対し有線回線６を介して通報端末５を接続した構成が知られているが、この場合には該有線回線６に係る費用や手間が更に掛かってしまう。
【０００９】
なお、あらかじめ対応者に携帯型の通信端末（例えば、業務用のＰＨＳ，携帯電話，モバイル式コンピュータ等）を携帯させ、サーバ４ａ（またはレンタルサーバ）から無線回線３を介して通報（例えば、電子メールを送信）する手法を適用することにより、有線回線６に係る費用や手間を省略できるが、例えば運用保守会社の規程の観点により各対応者に該通信端末を管理（個人管理）させることができなかったり（すなわち、適用対象が制限）、該通信端末が不用意に持ち出されたりする（例えば、監視室４０に常駐しない部外者に持ち出される）恐れがあり、懸念されている。
【特許文献１】特開２００６−３３４４１号公報
【特許文献２】特開平１０−３０１８７４号公報。
【発明の開示】
【発明が解決しようとする課題】
【００１０】
したがって、遠方監視情報の通報システムの分野においては、図４，図５に示すものとは異なるシステムであって、適用対象が制限されず、高い費用や手間を掛けることなく監視情報データを収集し対応者に通報できるシステム等の開発が望まれていた。
【課題を解決するための手段】
【００１１】
本発明は、前記の課題を解決するものであって、サーバ（またはレンタルサーバ）と通報端末との間を無線回線により接続することにより、有線回線設備を省略したシステムを構成し、高い費用や手間を掛けることなく、監視情報等を収集し対応者に通報できる遠方監視情報の通報システムおよび通信方法に関するものである。
【００１２】
具体的には、請求項１記載の発明は、遠方に位置する監視対象の状態を監視端末で監視し、この監視情報データをデータベースサーバに送信し通報端末を介して通報する遠方監視情報の通報システムであって、前記監視端末は、前記監視対象の状態を監視情報データとして収集でき、無線回線を介してイベントデータ，監視情報データを前記サーバに送信でき、そのサーバからの指令信号を受信することが可能な通信インタフェースを備え、前記サーバは、指令信号の送信，イベントデータおよび監視情報データの受信処理が可能な通信インタフェースと、その受信処理されるイベントデータ，監視情報データを記憶および少なくともイベントデータに対応した通報データを記憶する記憶手段と、を備え、前記通報端末は、前記サーバから無線回線を介して送信される通報データを受信処理することが可能な通信インタフェースと、その受信処理した通報データに基づいて出力する出力手段と、を備えたことを特徴とする。
【００１３】
請求項２記載の発明は、請求項１記載の発明において、前記通報端末は、あらかじめ一定期間出力する設定、通報端末を操作する対応者によって停止操作するまでの間出力し続ける設定のうち、少なくとも何れか一方が設定されていることを特徴とする。
【００１４】
請求項３記載の発明は、請求項１または２記載の発明において、前記記憶手段には、あらかじめ想定される監視情報がイベントデータ毎に分類され、前記のイベントデータ毎に、前記通報データを送信するかどうかを決定する送信決定データが記憶されていることを特徴とする。
【００１５】
請求項４記載の発明は、請求項３記載の発明において、前記の送信するように設定されたイベントデータの通報データとして、前記出力手段の出力を制御する出力制御データ，前記監視情報を示すテキストデータのうち、少なくとも何れか一つのデータが記憶されていることを特徴とする。
【００１６】
請求項５記載の発明は、請求項４記載の発明において、前記通報端末は、前記サーバから送信された通報データに含まれる出力制御データによりオン／オフ制御され、音，光，振動のうち何れかを発生することが可能な注意喚起手段を備えたことを特徴とする。
【００１７】
請求項６記載の発明は、請求項４または５記載の発明において、前記通報端末は、前記通報データに含まれるテキストデータにおいて、前記通報端末に備えられた変換器を介して文字，音声のうち何れかの形態に変換されたものを出力することが可能な言語出力手段を備えたことを特徴とする。
【００１８】
請求項７記載の発明は、請求項１〜６記載の発明において、前記記憶手段には、前記の送信するように設定されたイベントデータの通報データとして、一定期間出力する設定データ，通報端末を操作する対応者によって停止操作するまでの間出力し続ける設定データのうち、少なくとも何れか一つのデータが記憶されていることを特徴とする。
【００１９】
請求項８記載の発明は、遠方に位置する監視対象の状態を監視端末で監視し、前記の監視情報データを通報データとしてデータベースサーバにより受信処理し、前記のサーバから通報端末に対して通報データを送信する遠方監視情報の通信方法であって、前記監視対象の状態を監視情報データとして収集し、無線回線を介して前記サーバに対する監視情報データおよびイベントデータの送信および前記サーバからの指令信号の受信を行う監視端末と、無線回線を介して前記監視端末，通報端末に対する指令信号の送信および前記監視情報データ，イベントデータの受信処理を行い、その受信処理された監視情報データ，イベントデータを記憶および少なくともイベントデータに対応した通報データを記憶し、各イベントデータの通報データには通報端末に対して送信するかどうかが設定されているサーバと、を備えたシステムを用いることを特徴とする。
【００２０】
請求項９記載の発明は、請求項８記載の発明において、前記データベースサーバが、前記監視端末から送信されたイベントデータの有無を常時監視するステップと、前記の常時監視により確認されたイベントデータの種類を判別し、その判別結果を記憶するステップと、前記の確認されたイベントデータにおいて通報端末に対する通報データの送信設定の有無を判定するステップと、前記のイベントデータにおいて通報データを送信するように設定されている場合に、その通報データを通報端末に送信するステップと、を有することを特徴とする。
【００２１】
請求項１０記載の発明は、請求項９記載の発明において、前記の常時監視により確認されたイベントデータの種類を判別した後、前記の監視端末に対して指令信号を送信し、前記の監視対象から監視情報データを受信処理し記憶するステップを有することを特徴とする。
【００２２】
請求項１１記載の発明は、請求項８〜１０記載の発明において、前記通報端末は、前記サーバから無線回線を介して送信される通報データを受信処理することが可能な通信インタフェースと、その受信処理した通報データに基づいて出力する出力手段と、を備え、あらかじめ一定期間出力する設定、通報端末を操作する対応者によって停止操作するまでの間出力し続ける設定のうち、少なくとも何れか一方が設定されていることを特徴とする。
【００２３】
請求項１２記載の発明は、請求項１１記載の発明において、前記通報端末に送信するステップは、前記の出力手段の出力を制御する出力制御データ，前記監視情報を示すテキストデータのうち、少なくとも何れか一つのデータを送信することを特徴とする。
【００２４】
請求項１３記載の発明は、請求項１２記載の発明において、前記通報端末は、前記通報データに含まれる出力制御データによりオン／オフ制御され、音，光，振動のうち何れかを発生することが可能な注意喚起手段を備えたことを特徴とする。
【００２５】
請求項１４記載の発明は、請求項１２または１３記載の発明において、前記通報端末は、前記通報データに含まれるテキストデータを文字，音声のうち何れかの形態に変換する変換器と、その変換された形態を出力することが可能な言語出力手段と、を備えたことを特徴とする。
【００２６】
請求項１５記載の発明は、請求項８〜１４記載の発明において、前記通報端末に送信するステップは、一定期間出力する設定データ，通報端末を操作する対応者によって停止操作するまでの間出力し続ける設定データのうち、少なくとも何れか一つを含む通報データを送信することを特徴とする。
【００２７】
以上示した請求項１〜１５の発明は、サーバ（またはレンタルサーバ）と通報端末との間（およびサーバと監視端末との間）を無線回線により接続できるため、有線回線に係る設備を省略することができる。また、例えば監視対象に係る対応者に携帯型の通信端末（例えば、業務用のＰＨＳ，携帯電話，モバイル式コンピュータ等）を携帯させる必要が無くなる。さらに、前記通報端末の設置条件においては、無線回線を介してサーバと接続（通信）できるような条件であれば、設置場所等が制限されることは特に無い。
【００２８】
請求項２，７，１１，１５記載の発明では、設定された出力期間により通報端末が出力される。
【００２９】
請求項３，９記載の発明では、受信されたイベントデータの種類（送信するように設定されているもの）によって、前記通報データを送信するかどうかが決定される。
【００３０】
請求項４〜６，１２〜１４記載の発明では、出力手段の出力を制御する出力制御データ，前記監視情報を示すテキストデータのうち少なくとも何れか一つのデータが通報端末に対して送信される。通報端末に注意喚起手段が備えられている場合、前記の出力制御データによりオン／オフ制御され音，光，振動のうち何れかを発生し、変換器，言語出力手段が備えられている場合、前記のテキストデータが文字，音声のうち何れかの形態に変換し出力される。
【発明の効果】
【００３１】
以上示したように請求項１〜１５記載の発明によれば、サーバと監視用コンピュータ４との間において有線回線設備等を構築する必要が無く、遠方監視情報の通信に係る費用や手間を軽減または省略できる。また、従来の無線回線を使用したシステムのように、あらかじめ対応者に携帯型の通信端末等を携帯させる必要が無く、その適用対象が制限されることは無い。さらに、無線回線を介してサーバと接続（通信）できるため、設置場所等が制限されることは特に無く、例えば単に対応者に通報することを目的として種々の設置条件を設定することができる。
【発明を実施するための最良の形態】
【００３２】
以下、本実施の形態における遠方監視情報の通報システムおよび通信方法の一例を図面等に基づいて詳細に説明する。なお、図４，図５と同様なものについては、同一符号等を用いてその詳細な説明を省略する。
【００３３】
本実施形態は、サーバ（またはレンタルサーバ）と通報端末との間を無線回線で接続し、該通報端末を介して監視情報等を対応者に通報するものである。監視端末とサーバ（またはレンタルサーバ）との間や該サーバと携帯型通信端末との間を無線回線で接続した構成のシステムは知られていたが、本実施形態のように通信インタフェースや出力手段等を備えた通報端末を用い、該通報端末とサーバとの間を無線回線で接続したシステムや通信方法は無かった。
【００３４】
前記の通報端末としては、種々の出力手段を備えた装置が挙げられ、例えば電源のオン／オフ制御（出力制御）により音，振動，光等を発生し五感（視覚，聴覚，触覚等）のうち少なくとも何れかを介して注意喚起することが可能な手段（例えば、非常音発生手段（ブザー等），発光手段（非常灯等），振動手段（振動子等）；以下、注意喚起手段と称する）を備えた装置や、監視情報を文字，音声等の何れかの形態の言語で出力することが可能な手段（例えば、文字表示手段（電光掲示板等），音声発生手段（スピーカ等）等；以下、言語出力手段）を備えた装置等が挙げられる。
【００３５】
前記の出力手段の出力は、例えば、あらかじめ一定期間出力（すなわち、自動的に出力停止）するように設定したり、対応者が操作（通報端末の操作等）するまで出力し続けるように設定したり、それら各設定を組み合わせても良い。また、出力期間は、通報データ（一定期間出力する設定データ，通報端末を操作する対応者によって停止操作するまでの間出力し続ける設定データ）によって設定されても良い。
【００３６】
本実施形態のシステムや通信方法によれば、例えば図４，図５に示したものと比較して、有線回線等（電話回線等）のような回線工事が不要であり、費用や手間を軽減または省略できる。また、有線回線の基本料の場合は数千円程度（１月あたり約２千円〜３千円程度）の費用（サーバと通報端末との間，サーバと監視端末との間の場合は、数千円×２）が掛かるが、無線回線の場合には数百円程度（１月あたり約４百円〜５百円程度）の費用に抑えられる。
【００３７】
図１の概略説明図は、本実施形態における遠方監視システムおよび通信方法の一例を説明するためのものであり、サーバ４ｂに対し無線回線３を介して通報端末５が接続される。前記監視端末１においては、監視対象２に関する各種データを収集でき、無線回線３を介してイベントデータ，監視情報データをサーバ４ｂに送信したり該サーバ４ｂからの指令信号の受信が可能な通信インタフェース１ｄを備える。前記サーバ４ｂにおいては、前記指令信号等の送信やイベントデータ，監視情報データ等の受信処理や指令信号等の送信が可能な通信インタフェース４ｂａと、その受信処理された各種データを記憶することが可能な記憶手段４ｂｂと、を備える。前記の通報端末５においては、サーバ４ｂから無線回線３を介して送信される通報データ（例えば、後述の表１に示すように通報端末５で出力する内容に係るデータ等）を受信処理（例えば、テキストデータで受信処理）することが可能な通信インタフェース５ａと、その受信処理した通報データに基づいて出力する出力手段５ｂ（図３Ａ，Ｂでは注意喚起手段５ｂａ，言語出力手段５ｂｂ）と、を備える。
【００３８】
記憶手段４ｂｂには、例えば下記表１に示すように、あらかじめ想定される監視情報等がイベントデータ毎に分類されて、そのイベントデータ毎に通報データの送信の有無を決定する送信決定データ（通報データを送信するかどうかを決定するデータ），出力制御データ（例えば、通報データにおいてフラグとして設けられ、通報出力手段５ｂの電源スイッチを制御するデータ等），監視情報を示す言語出力データ（テキストデータ等），出力手段の出力期間を決定する出力期間決定データ等が記憶されている。通報データにおいては、適宜設定することができ、表１に示すように各種データを送信しても良く、一部のデータのみを送信するように設定しても良い。
【００３９】
【表１】
2008228109.tif 000003
【００４０】
図２は、図１に示したサーバ４ｂの動作の一例を説明する概略図である。図２において、ステップＳ１はイベントデータ判定工程を示すものであり、監視端末１からサーバ４ｂに送信されるイベントデータの有無を常時監視する。このイベントデータが確認された場合には、ステップＳ２のデータ受信処理工程に移行して該イベントデータの種類を判別し、ステップＳ３の記憶処理工程にて前記の判別結果を記憶手段４ｂｂに記憶する。なお、前記のように判別した後、必要に応じて（例えば、あらかじめ想定できなかった監視情報が存在する場合等）、例えば該監視端末２に対して指令信号を送信し、監視対象２から監視情報データ（回答信号）を直接受信処理し、ステップＳ３の記憶処理工程にて前記の受信処理データを記憶手段４ｂｂに記憶しても良い。
【００４１】
前記の記憶処理工程Ｓ３を経た後、ステップＳ４の設定有無判定工程により、前記の確認されたイベントデータに関する設定の有無（例えば、表１に示した各種設定の有無）を判定する。前記の設定が有ると判定された場合には、ステップＳ５の通報処理工程により通報データ（制御出力データや言語出力データ）を通報端末５に送信して、イベントデータ判定工程Ｓ１に移行する。
【００４２】
図３Ａ，Ｂは通報端末５の一例を説明するための概略図である。まず、図３Ａは、通報端末５において、非常音発生手段（ブザー等），発光手段（非常灯等）等の注意喚起手段５ｂａが備えられたものであり、例えば通信インタフェース５ａで受信された通報データに制御出力データが含まれる場合（例えば、フラグが立っている場合）に、該注意喚起手段５ｂａの電源スイッチ５ｃがオン状態となり出力（例えば、ブザーの場合は音等，非常灯の場合は光等が出力）される。
【００４３】
図３Ｂは、通報端末５において、文字表示手段（電光掲示板等），音声発生手段（スピーカ等）等の言語出力手段５ｂｂと、言語出力データを該言語出力手段５ｂｂの形式に合わせて変換する変換手段５ｄと、が備えられたものである。例えば、通信インタフェース５ａで受信された通報データに言語出力データが含まれる場合に、該言語出力データが変換器５ｄにより変換され、前記の言語出力手段５ｂｂが出力（例えば、文字表示手段の場合は文字等，音声発生手段の場合は音声等が出力）される。
【００４４】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００４５】
例えば、図１〜図３の説明では、サーバとしてレンタルサーバを適用した例を挙げたが、そのレンタルサーバの替わりに専用サーバを適用し無線回線を介して通報端末を接続した場合において、図１〜図３の説明と略同様に機能することは明らかである。また、サーバと通報端末および監視端末との間が無線を介して接続でき各種データの送信等が可能なシステムであれば、サーバや端末等の各種装置は複数個構成されても良く、屋内，屋外等の必要な箇所に制限されずに設置できる（例えば、通報端末において、監視用コンピュータ，サーバ（専用サーバ，レンタルサーバ），監視室等から隔離した位置に設置しても良い）。さらに、サーバと通報端末および監視端末との間においては、適用される通信インタフェース，データ形式，データ容量等を考慮し種々の通信方式により接続でき、その接続処理は、例えばサーバから通報端末や監視端末にショートメール等を送信することにより、該通報端末や監視端末側から行っても良い。
【００４６】
さらにまた、前記の遠方監視情報の通報システムは、例えば各装置において周知のＣＰＵ，ＲＯＭ，ＲＡＭ，Ｉ／Ｏインタフェースを有するコンピュータ，キーボード，ディスプレイ，外部メモリ，プリンタ等を構成することも可能であり、各装置の一部もしくは全部の機能をコンピュータのプログラムで構成し、そのプログラムをコンピュータを用いて実行して本発明を実現することができること、該システムの各工程（ステップ）をコンピュータのプログラムで構成し、そのプログラムをコンピュータを用いて実行して本発明を実現することができることは、言うまでも無い。
【図面の簡単な説明】
【００４７】
【図１】本実施形態における遠方監視システムおよび通信方法の一例を示す概略説明図。
【図２】図１のサーバの動作例を示す概略説明図。
【図３】本実施形態における通報端末の一例を示す概略説明図。
【図４】一般的な遠方監視情報の通報システムの一例を示す概略説明図（専用サーバを用いた場合）。
【図５】一般的な遠方監視情報の通報システムの一例を示す概略説明図（レンタルサーバを用いた場合）。
【符号の説明】
【００４８】
１…監視端末
２…監視対象
３…無線回線
４ａ，４ｂ…サーバ
５…通報端末
５ｂａ…注意喚起手段
５ｂｂ…言語出力手段
【図１】
2008228109.tif 000004
【図２】
2008228109.tif 000005
【図３】
2008228109.tif 000006
【図４】
2008228109.tif 000007
【図５】
2008228109.tif 000008